(57)【要約】【課題】インターネットに接続されている移動端末の正確な現在位置を出力し得るインターネット接続装置を提供する。【解決手段】携帯電話１をネットワークＮに接続させる接続部と、ラジオ放送局設備７から出力されたラジオ放送信号Ｓｒやテレビ放送局設備８から出力されたテレビ放送信号Ｓｔに基づいて現在位置を測位して位置データＤｐ０を生成する位置データ生成部と、位置データＤｐ０を記憶する記憶部と、記憶部から位置データＤｐ０を読み出してネットワークＮに接続されている情報センター設備４および携帯電話１の少なくとも一方に位置データＤｐ０を出力する位置データ出力部とを備えて無線ＬＡＮアクセスポイント２が構成されている。【選択図】図１
2005189154.tif 000002
【特許請求の範囲】
【請求項１】
移動端末をインターネットに接続させる接続部と、外部装置から出力された電波に基づいて現在位置を測位して位置データを生成する位置データ生成部と、前記位置データを記憶する記憶部と、当該記憶部から前記位置データを読み出して前記インターネットに接続されている情報出力装置および前記移動端末の少なくとも一方に当該位置データを出力する位置データ出力部とを備えているインターネット接続装置。
【請求項２】
前記記憶部は、前記外部装置としての複数の公共放送局設備の位置をそれぞれ特定するための放送局データを記憶し、
前記位置データ生成部は、前記電波を出力している前記公共放送局設備の位置を前記放送局データおよび当該電波の双方に基づいて特定すると共に当該特定した位置に基づいて前記現在位置を測位して前記位置データを生成する請求項１記載のインターネット接続装置。
【請求項３】
前記記憶部は、前記各公共放送局設備によって出力されている前記電波についての周波数データを当該各公共放送局設備の位置に関連付けて前記放送局データとして記憶し、
前記位置データ生成部は、前記電波を出力している前記公共放送局設備を前記周波数データおよび前記電波の双方に基づいて特定すると共に当該特定した公共放送局設備の位置に基づいて前記現在位置を測位して前記位置データを生成する請求項２記載のインターネット接続装置。
【請求項４】
前記位置データ生成部は、複数の前記公共放送局設備によって出力される前記電波の到達時間を測定して当該各公共放送局設備との距離をそれぞれ算出すると共に、当該算出した距離と前記放送局データに基づいて特定した当該各公共放送局設備の位置とに基づいて前記現在位置を測位して前記位置データを生成する請求項２記載のインターネット接続装置。
【請求項５】
前記位置データ生成部は、前記外部装置としてのＧＰＳ衛星から出力されている電波に基づいて現在位置を測位して前記位置データを生成する請求項１記載のインターネット接続装置。
【請求項６】
請求項１から５のいずれかに記載のインターネット接続装置と、当該インターネット接続装置を介して前記インターネットに接続されると共にＧＰＳ衛星から出力されている電波に基づいて現在位置を測位する前記移動端末と、前記ＧＰＳ衛星についての衛星位置推算データを記憶すると共に前記インターネットを介して前記移動端末に当該衛星位置推算データを出力する推算データ出力装置とを備え、
前記インターネット接続装置は、前記位置データ生成部によって生成された前記位置データを前記移動端末に前記位置データ出力部を介して出力し、
前記移動端末は、前記出力された位置データに基づいて端末位置データを生成すると共に、前記ＧＰＳ衛星から出力されている電波と、前記衛星位置推算データと、前記端末位置データとに基づいて現在位置を測位する測位システム。
【請求項７】
請求項１から５のいずれかに記載のインターネット接続装置と、当該インターネット接続装置を介して前記インターネットに接続されると共に受信したメッセージデータに基づくメッセージを表示する前記移動端末と、前記メッセージデータを各位置に関連付けて記憶すると共に当該メッセージデータを前記移動端末に出力する前記情報出力装置とを備え、
前記インターネット接続装置は、前記位置データ生成部によって生成された前記位置データを前記情報出力装置に前記位置データ出力部を介して出力し、
前記情報出力装置は、前記インターネット接続装置を介して前記インターネットに接続されている前記移動端末の端末現在位置を前記位置データに基づいて特定すると共に当該端末現在位置に関連付けられている前記メッセージデータを当該移動端末に出力する情報出力システム。
【発明の詳細な説明】
【技術分野】
【０００１】
本発明は、移動端末をインターネットに接続させるインターネット接続装置、ＧＰＳ衛星から出力されている電波に基づいて現在位置を測位する移動端末を備えた測位システム、および移動端末に各種情報を提供する情報出力システムに関するものである。
【背景技術】
【０００２】
この種の測位システムとして、ＧＰＳ衛星から出力されている電波に基づいて現在位置を測位する位置検出装置を備えた測位システムが、特開平１０−３１０６１号公報に開示されている。この場合、この種の測位システムでは、位置検出装置（ＧＰＳ測位端末）がＧＰＳ基地局から取得した衛星位置推算データを使用して測位処理することによって、例えば起動直後の測位処理に要する時間を短縮している。したがって、この測位システムでは、同公報の図２に示すように、位置検出装置がＧＰＳ基地局に接続するための携帯電話３を備えて構成されている。一方、ＧＰＳ基地局は、位置検出装置に対して現在時刻情報、ＧＰＳ衛星の軌道情報（衛星位置推算データ）、およびＧＰＳ基地局の現在位置についての位置情報を出力する。
【０００３】
この測位システムでは、位置検出装置に電源が投入された際に、ＧＰＳ受信機６が携帯電話３を介してＧＰＳ基地局に対して情報送信を要求する。これに応じて、ＧＰＳ基地局は、現在時刻情報、ＧＰＳ衛星の軌道情報、および基地局の位置情報を出力する。一方、位置検出装置では、ＧＰＳ受信機６がＧＰＳ基地局から出力された各情報に基づいて位置検出装置の現在位置を測位する。この場合、この種の測位システムでは、衛星位置推算データを使用して現在位置を測位するために、位置検出装置が、おおよその現在位置（概略位置）を把握している必要がある。したがって、ＧＰＳ受信機６は、ＧＰＳ基地局から出力された位置情報に基づいて特定した位置（すなわちＧＰＳ基地局の位置）を位置検出装置の概略位置として測位処理を実行する。これにより、位置検出装置の現在位置が測位されて例えば表示部等に現在位置が表示される。
【特許文献１】特開平１０−３１０６１号公報
【発明の開示】
【発明が解決しようとする課題】
【０００４】
ところが、従来の測位システムには、以下の問題点がある。すなわち、従来の測位システムでは、ＧＰＳ受信機６が、携帯電話３を介してＧＰＳ基地局に接続して、現在時刻情報、ＧＰＳ衛星の軌道情報、および基地局の位置情報を取得し、取得した位置情報（ＧＰＳ基地局の位置）を位置検出装置の概略位置として、ＧＰＳ衛星から出力されている電波に基づく測位処理を実行する。この場合、位置検出装置が携帯電話３を介してＧＰＳ基地局に接続する従来の測位システムでは、位置検出装置の実際の位置から遠く離れたＧＰＳ基地局に接続することがある。したがって、ＧＰＳ基地局から出力される位置情報を位置検出装置の概略位置として測位を実行した場合、位置検出装置の実際の位置から遠く離れた位置を基準として現在位置が測位されることがある。このため、従来の測位システムには、位置検出装置の現在位置を正確に測位するのが困難であるという問題点が存在する。
【０００５】
一方、例えば特開２００３−３１８９９１号公報には、飛行場、ホテル、喫茶店および店舗内や、企業の応接室内等に設置した無線ＬＡＮアクセスポイント（インターネット接続装置）を介してインターネット接続サービスを提供するホットスポット（登録商標）サービスシステムが開示されている。この種のサービス網が拡大した際には、現在普及している携帯電話やＰＨＳ等に代わり、無線ＬＡＮクライアントとしての移動端末（一例として、特開２００２−２４７６４７号公報に開示されている無線ＬＡＮ利用電話システムにおける子局１）が移動通信端末として普及することが予測される。しかし、上記の測位システムにおいて、携帯電話３に代えて無線ＬＡＮ利用タイプの電話（いわゆる、「ＩＰ電話」）を利用したとしても、位置検出装置がＩＰ電話を介してＧＰＳ基地局に接続する際に、位置検出装置の実際の位置から遠く離れたＧＰＳ基地局に接続することがある。このため、携帯電話３を利用したときと同様にして、位置検出装置の現在位置を正確に測位するのが困難であるという問題点が存在する。
【０００６】
本発明は、かかる問題点に鑑みてなされたものであり、インターネットに接続されている移動端末の正確な現在位置を出力し得るインターネット接続装置、移動端末の現在位置を正確に測位し得る測位システム、およびインターネットに接続されている移動端末に対して現在位置に対応する各種情報を提供し得る情報出力システムを提供することを主目的とする。
【課題を解決するための手段】
【０００７】
上記目的を達成すべく本発明に係るインターネット接続装置は、移動端末をインターネットに接続させる接続部と、外部装置から出力された電波に基づいて現在位置を測位して位置データを生成する位置データ生成部と、前記位置データを記憶する記憶部と、当該記憶部から前記位置データを読み出して前記インターネットに接続されている情報出力装置および前記移動端末の少なくとも一方に当該位置データを出力する位置データ出力部とを備えている。
【０００８】
このインターネット接続装置では、位置データ生成部が外部装置から出力された電波に基づいて現在位置を測位して位置データを生成すると共に位置データ出力部が情報出力装置および移動端末の少なくとも一方に位置データを出力する。したがって、インターネットに接続されている情報出力装置および接続可能範囲内の移動端末に対して、実際の位置に近い位置データを提供することができる。この場合、インターネット接続装置に対する移動端末の接続可能範囲が極く狭い範囲のため、携帯電話３を介してＧＰＳ基地局に接続されている位置検出装置に位置情報を出力する従来の測位システムとは異なり、移動端末の実際の位置に近い位置データ（位置情報）を提供することができる。したがって、例えばＧＰＳ測位機能を有する移動端末がこの位置データに基づいて実際の位置に近い位置データを生成することができるため、その現在位置を正確に測位させることができる。また、インターネット接続装置から出力された位置データを受信した情報出力装置によって、例えば、移動端末の実際の位置に関連付けられているメッセージ等を移動端末に配信することができる。
【０００９】
また、本発明に係るインターネット接続装置は、上記のインターネット接続装置において、前記記憶部が、前記外部装置としての複数の公共放送局設備の位置をそれぞれ特定するための放送局データを記憶し、前記位置データ生成部が、前記電波を出力している前記公共放送局設備の位置を前記放送局データおよび当該電波の双方に基づいて特定すると共に当該特定した位置に基づいて前記現在位置を測位して前記位置データを生成する。
【００１０】
このインターネット接続装置では、位置データ生成部が受信した電波を出力している公共放送局設備の位置を放送局データおよび受信した電波の双方に基づいて特定して、特定した位置（公共放送局設備の位置）に基づいて現在位置を測位して位置データを生成する。したがって、比較的安価な受信機を備えるだけでインターネット接続装置の現在位置を特定することができるため、インターネット接続装置の製造コストの高騰を回避しつつ、移動端末に対して位置データを提供することができる。
【００１１】
さらに、本発明に係るインターネット接続装置は、上記のインターネット接続装置において、前記記憶部が、前記各公共放送局設備によって出力されている前記電波についての周波数データを当該各公共放送局設備の位置に関連付けて前記放送局データとして記憶し、前記位置データ生成部が、前記電波を出力している前記公共放送局設備を前記周波数データおよび前記電波の双方に基づいて特定すると共に当該特定した公共放送局設備の位置に基づいて前記現在位置を測位して前記位置データを生成する。
【００１２】
このインターネット接続装置では、位置データ生成部が電波を出力している公共放送局設備の位置を周波数データおよび受信した電波の双方に基づいて特定して、特定した位置（公共放送局設備の位置）に基づいて現在位置を測位して位置データを生成する。したがって、比較的簡易な構成でありながら、インターネット接続装置の現在位置を特定して位置データを生成することができる。
【００１３】
また、本発明に係るインターネット接続装置は、上記のインターネット接続装置において、前記位置データ生成部が、複数の前記公共放送局設備によって出力される前記電波の到達時間を測定して当該各公共放送局設備との距離をそれぞれ算出すると共に、当該算出した距離と前記放送局データに基づいて特定した当該各公共放送局設備の位置とに基づいて前記現在位置を測位して前記位置データを生成する。
【００１４】
このインターネット接続装置では、位置データ生成部が複数の公共放送局設備によって出力される電波の到達時間を測定して各公共放送局設備との距離をそれぞれ算出し、算出結果に基づいて現在位置を測位して位置データを生成する。したがって、放送局から出力された電波の周波数に基づいて現在位置を特定する構成と比較して、インターネット接続装置の現在位置を一層正確に測位することができる。したがって、移動端末や情報出力装置に対して、実際の位置に一層近い位置データを出力することができる。
【００１５】
さらに、本発明に係るインターネット接続装置は、上記のインターネット接続装置において、前記位置データ生成部が、前記外部装置としてのＧＰＳ衛星から出力されている電波に基づいて現在位置を測位して前記位置データを生成する。
【００１６】
このインターネット接続装置では、位置データ生成部がＧＰＳ衛星から出力されている電波に基づいて現在位置を測位して位置データを生成する。したがって、公共放送局設備から出力されている電波の受信が困難な山間部等にインターネット接続装置が設置された場合であっても、その現在位置を測位して位置データを生成することができる。
【００１７】
また、本発明に係る測位システムは、上記のいずれかのインターネット接続装置と、当該インターネット接続装置を介して前記インターネットに接続されると共にＧＰＳ衛星から出力されている電波に基づいて現在位置を測位する前記移動端末と、前記ＧＰＳ衛星についての衛星位置推算データを記憶すると共に前記インターネットを介して前記移動端末に当該衛星位置推算データを出力する推算データ出力装置とを備え、前記インターネット接続装置が、前記位置データ生成部によって生成された前記位置データを前記移動端末に前記位置データ出力部を介して出力し、前記移動端末が、前記出力された位置データに基づいて端末位置データを生成すると共に、前記ＧＰＳ衛星から出力されている電波と、前記衛星位置推算データと、前記端末位置データとに基づいて現在位置を測位する。なお、本発明における衛星位置推算データには、ＧＰＳ衛星の概略位置（推定位置）を算出するための軌道情報（いわゆる、アルマナックやエフェメリスなど）のみならず、これらに付加される各種の捕捉情報が含まれる。
【００１８】
この測位システムでは、インターネット接続装置が移動端末に位置データを出力し、移動端末が出力された位置データに基づいて現在位置を測位して端末位置データを生成して衛星位置推算データを使用した測位処理を実行する。したがって、携帯電話３を介してＧＰＳ基地局に接続されている位置検出装置に位置情報を出力する従来の測位システムとは異なり、移動端末が出力された位置データに基づいて実際の位置に近い位置データを生成することができるため、端末現在位置を正確に測位することができる。
【００１９】
また、本発明に係る情報出力システムは、上記のいずれかのインターネット接続装置と、当該インターネット接続装置を介して前記インターネットに接続されると共に受信したメッセージデータに基づくメッセージを表示する前記移動端末と、前記メッセージデータを各位置に関連付けて記憶すると共に当該メッセージデータを前記移動端末に出力する前記情報出力装置とを備え、前記インターネット接続装置が、前記位置データ生成部によって生成された前記位置データを前記情報出力装置に前記位置データ出力部を介して出力し、前記情報出力装置が、前記インターネット接続装置を介して前記インターネットに接続されている前記移動端末の端末現在位置を前記位置データに基づいて特定すると共に当該端末現在位置に関連付けられている前記メッセージデータを当該移動端末に出力する。
【００２０】
この情報出力システムでは、インターネット接続装置が情報出力装置に位置データを出力し、情報出力装置が出力された位置データに基づいて端末現在位置を特定して、特定した端末現在位置に関連付けられているメッセージデータを移動端末に出力する。したがって、実際の位置に近い位置に関連付けられた各種情報を情報出力装置から移動端末に提供することができる。
【発明を実施するための最良の形態】
【００２１】
以下、添付図面を参照して、本発明に係るインターネット接続装置、測位システムおよび情報出力システムの最良の形態について説明する。
【００２２】
図１に示す現在位置測位システム（以下、「測位システム」ともいう）１０は、本発明に係る測位システムおよび情報出力システムに相当し、複数の携帯電話１，１・・、複数の無線ＬＡＮアクセスポイント（以下、「アクセスポイント」ともいう）２，２・・、管理センター設備３および情報センター設備４を備えている。なお、実際には、さらに数多くの携帯電話１，１・・およびアクセスポイント２，２・・が存在するが、同図では、２台の携帯電話１および１つのアクセスポイント２のみを図示している。
【００２３】
携帯電話１は、本発明における移動端末の一例であって、図２に示すように、無線通信部１１、ＧＰＳ処理部１２、操作部１３、記憶部１４、表示部１５および制御部１６を備えている。無線通信部１１は、制御部１６の制御に従ってアクセスポイント２との間で各種のデータ（信号Ｓ）を送受信する。ＧＰＳ処理部１２は、後述するようにＧＰＳ衛星９，９・・（図１参照）から出力されているＧＰＳ信号Ｓｇを受信して、制御部１６と相俟って携帯電話１の現在位置（端末現在位置）を測位する。なお、ＧＰＳ信号Ｓｇに基づく現在位置の測位原理については公知のため、その詳細な説明を省略する。操作部１３には、携帯電話１による通話時に電話番号を入力操作するための操作ボタンや、現在位置を表示部１５に表示させるための操作ボタンなどの各種の操作ボタンが配列されている。
【００２４】
記憶部１４は、制御部１６の動作プログラムや、管理センター設備３から出力されたアシストデータＤａ（本発明における衛星位置推算データ）などを記憶する。表示部１５は、一例としてカラー液晶表示器で構成されて、制御部１６の制御下で現在位置を示す地図や、各種のメッセージなどをカラー表示する。制御部１６は、後述するようにアクセスポイント２から出力されるアクセスポイント位置データＤｐ０（本発明における位置データ、以下、「位置データＤｐ０」ともいう）に基づいて携帯電話１の現在位置についての端末位置データＤｐ１（以下、「位置データＤｐ１」ともいう）を生成して記憶部１４に記憶させる。また、制御部１６は、管理センター設備３から送信されたアシストデータＤａを記憶部１４に記憶させる。さらに、制御部１６は、ＧＰＳ処理部１２の処理結果、位置データＤｐ１およびアシストデータＤａに基づいて携帯電話１の現在位置を測位する。また、制御部１６は、記憶部１４に記憶されている地図データと測位結果とに基づいて現在位置を示す地図についての画像データを生成して表示部１５に表示させる。
【００２５】
アクセスポイント２は、本発明に係るインターネット接続装置に相当し、一例として、公共施設、飛行場、駅、宿泊施設および各種店舗内等に設置されて複数の携帯電話１，１・・との間で無線通信する。この場合、図１に示すように、このアクセスポイント２は、後述するように、ラジオ放送局設備７，７・・（一例として、ＦＭラジオ放送局の設備）から出力されているラジオ放送信号Ｓｒ，Ｓｒ・・や、テレビ放送局設備８，８・・（一例として、地上波デジタル放送局の設備）から出力されているテレビ放送信号Ｓｔ，Ｓｔ・・などを受信可能に設置されている。具体的には、図３に示すように、このアクセスポイント２は、無線通信部２１、通信モデム２２、受信部２３、記憶部２４および制御部２５を備えて構成されている。無線通信部２１は、通信モデム２２および制御部２５と相俟って本発明における接続部を構成し、制御部２５の制御下で、携帯電話１，１・・や、無線通信機能を有するパーソナルコンピュータおよびＰＤＡ等（図示せず）との間で各種のデータ（信号Ｓ）を送受信する（携帯電話１等をネットワークＮに接続させる）。この場合、無線通信部２１は、一例として半径１００ｍ程度の範囲内に位置する携帯電話１，１・・等が接続可能に（信号Ｓを送受信可能に）構成されている。また、無線通信部２１は、通信モデム２２および制御部２５と相俟って本発明における位置データ出力部を構成し、位置データＤｐ０を携帯電話１に出力する。
【００２６】
通信モデム２２は、無線通信部２１および制御部２５と相俟って本発明における位置データ出力部を構成し、後述するように位置データＤｐ０を情報センター設備４に出力すると共に、管理センター設備３や情報センター設備４との間で各種のデータを送受信する。受信部２３は、制御部２５と相俟って本発明における位置データ生成部を構成し、ラジオ放送局設備７（本発明における外部装置としての公共放送局設備の一例）から出力されるラジオ放送信号Ｓｒや、テレビ放送局設備８（本発明における外部装置としての公共放送局設備の他の一例）から出力されるテレビ放送信号Ｓｔを受信して、その周波数を制御部２５に報知する。記憶部２４は、放送局特定用データＤｓ（本発明における放送局データ）や制御部２５の動作プログラムなどを記憶する。この場合、放送局特定用データＤｓは、一例として、日本全国に存在するラジオ放送局設備７，７・・やテレビ放送局設備８，８・・についての位置と、各放送局設備７，７・・８，８・・から出力されている放送波（電波）Ｓｒ，Ｓｒ・・Ｓｔ，Ｓｔ・・についての周波数データとが互いに関連付けられて構成されている。
【００２７】
制御部２５は、無線通信部２１、通信モデム２２および受信部２３の動作を制御する。また、制御部２５は、受信部２３の報知結果（受信部２３によって受信されたラジオ放送信号Ｓｒ，Ｓｒ・・およびテレビ放送信号Ｓｔ，Ｓｔ・・の周波数）に基づいて、その電波を出力している放送局設備７，７・・８，８・・を特定すると共に、特定した放送局設備７，７・・８，８・・の位置を放送局特定用データＤｓに基づいて特定する。さらに、制御部２５は、特定した放送局設備７，７・・８，８・・の位置に基づいて、アクセスポイント２がいずれの地域に設置されているかを特定すると共に、特定結果に基づいて位置データＤｐ０を生成して記憶部２４に記憶させる。
【００２８】
管理センター設備３は、測位システム１０を総括的に管理する設備であると共に本発明における推算データ出力装置を構成し、図４に示すように、通信モデム３１、記憶装置３２、操作部３３、表示部３４、ＧＰＳ処理部３５および制御装置３６を備えている。通信モデム３１は、ネットワークＮを介してアクセスポイント２との間で各種のデータ（アシストデータＤａ等）を送受信する。記憶装置３２は、制御装置３６の動作プログラムや、後述するようにＧＰＳ処理部３５の処理結果に基づいて生成されるアシストデータＤａ，Ｄａ・・を記憶する。操作部３３は、一例として、キーボードおよびマウスを備えて構成されて、各装置の動作条件等を入力操作可能に構成されている。表示部３４は、測位システム１０の稼働状況などを表示する。ＧＰＳ処理部３５は、ＧＰＳ衛星９，９・・から出力されているＧＰＳ信号Ｓｇに基づいて管理センター設備３の現在位置を測位する。制御装置３６は、通信モデム３１およびＧＰＳ処理部３５の動作を制御する。また、制御装置３６は、ＧＰＳ処理部３５の処理結果や正確な現在時刻等に基づいてアシストデータＤａ，Ｄａ・・を生成して記憶装置３２に記憶させると共に、ネットワークＮおよびアクセスポイント２を介して携帯電話１，１・・にアシストデータＤａを送信する。
【００２９】
情報センター設備４は、本発明における情報出力装置の一例であって、図５に示すように、通信モデム４１、記憶装置４２および制御装置４３を備えている。通信モデム４１は、アクセスポイント２から出力された位置データＤｐ０を受信して制御装置４３に出力すると共に、制御装置４３からの制御下で広告データＤｉを携帯電話１に送信する。記憶装置４２は、アクセスポイント２，２・・が設置されている各地域に関連付けて広告主が登録した広告（メッセージ）についての広告データＤｉ，Ｄｉ・・（本発明におけるメッセージデータの一例）を記憶する。制御装置４３は、通信モデム４１から出力された位置データＤｐ０に基づいて、その位置データＤｐ０を出力したアクセスポイント２を介してネットワークＮに接続されている携帯電話１の現在位置を特定すると共に、特定した現在位置に関連付けられている広告データＤｉを記憶装置４２から読み出して、アクセスポイント２（アクセスポイント２に接続されている携帯電話１，１・・）に出力する。
【００３０】
一方、図６に示すように、アクセスポイント２，２・・、管理センター設備３および情報センター設備４を接続するネットワークＮは、一例として、複数のアクセスポイント２，２・・が接続された集線局設備５１，５１・・と、管理センター設備３および情報センター設備４等の各種サーバーとが複数の中継局設備５２，５２・・を介して相互に接続されている。なお、以下の説明においては、本発明についての理解を容易とするために、集線局設備５１および中継局設備５２についての説明を省略して、これらを総称してネットワークＮという。
【００３１】
次に、測位システム１０による携帯電話１の現在位置測位方法について、図面を参照して説明する。この測位システム１０では、アクセスポイント２が新規に設置されて電源が投入された際や、既存のアクセスポイント２の電源が再投入された際に、アクセスポイント２によって現在位置の測位処理（位置データＤｐ０の生成および記憶部２４への記憶）が開始される。具体的には、制御部２５が、受信部２３に対して、周波数（チャンネルでもよい：以下、単に「周波数」ともいう）をスキャンさせて、設置場所においてラジオ放送信号Ｓｒ，Ｓｒ・・およびテレビ放送信号Ｓｔ，Ｓｔ・・を受信させる。これに応じて、受信部２３は、受信したラジオ放送信号Ｓｒおよびテレビ放送信号Ｓｔの周波数を制御部２５に報知する。
【００３２】
次に、制御部２５は、記憶部２４に記憶されている放送局特定用データＤｓと、受信部２３の報知結果とに基づいて、受信部２３によって受信された周波数のラジオ放送信号Ｓｒを出力しているラジオ放送局設備７、および受信部２３によって受信された周波数のテレビ放送信号Ｓｔを出力しているテレビ放送局設備８を特定する。次いで、制御部２５は、特定したラジオ放送局設備７およびテレビ放送局設備８が存在する位置を放送局特定用データＤｓに基づいて特定する。つまり、放送局の電波および放送局特定用データＤｓの双方に基づいて特定する。これにより、一例として、アクセスポイント２が「北緯○○度○○分○○秒、東経○○度○○分○○秒から半径○○ｍ程度の範囲内に設置されている」といったように、アクセスポイント２の設置場所（本発明における現在位置）が特定される。続いて、制御部２５は、特定した現在位置に基づいて位置データＤｐ０を生成すると共に、生成した位置データＤｐ０を記憶部２４に記憶させる。これにより、アクセスポイント２の設置（または、再起動）が完了する。この測位処理を測位システム１０の利用可能エリア内に設置されているすべてのアクセスポイント２，２・・がそれぞれ実行することにより、各アクセスポイント２，２・・の記憶部２４には、各々の現在位置を特定可能な位置データＤｐ０が記憶される。
【００３３】
一方、アクセスポイント２に接続可能な範囲内（この例では、半径１００ｍ程度の範囲内）に位置している携帯電話１が、その現在位置を測位する際には、操作部１３の所定の操作ボタンを操作する。これに応じて、制御部１６が現在位置測位処理を開始する。この現在位置測位処理では、まず、制御部１６が無線通信部１１を制御してアクセスポイント２に対して現在位置を特定するためのデータの送信を要求する。これに応じて、アクセスポイント２では、制御部２５が記憶部２４から位置データＤｐ０を読み出すと共に、無線通信部２１を制御して携帯電話１に位置データＤｐ０を出力させる。次に、制御部１６は、アクセスポイント２から出力された位置データＤｐ０に基づいて特定される位置（すなわち、アクセスポイント２が設置されている位置）を携帯電話１の現在位置として、その現在位置についての位置データＤｐ１を生成する。この場合、アクセスポイント２に接続可能な範囲が半径１００ｍ程度の範囲内のように極く狭いため、アクセスポイント２の設置場所を携帯電話１の現在位置と規定することで、携帯電話１の実際の位置との誤差を極く小さな１００ｍ程度とすることができる。次いで、制御部１６は、生成した位置データＤｐ１を記憶部１４に記憶させると共に、管理センター設備３に対してアシストデータＤａの送信を要求する。
【００３４】
一方、管理センター設備３では、携帯電話１からアシストデータＤａの送信を要求された際に、制御装置３６が、記憶装置３２に記憶されているアシストデータＤａを読み出すと共に、通信モデム３１を制御して、携帯電話１にアシストデータＤａを送信させる。これにより、携帯電話１の記憶部１４に最新のアシストデータＤａが記憶される。次に、携帯電話１では、制御部１６がＧＰＳ処理部１２を制御して、ＧＰＳ衛星９から出力されているＧＰＳ信号Ｓｇを受信させ、携帯電話１の現在位置を測位させる。この際に、ＧＰＳ処理部１２は、各ＧＰＳ衛星９，９・・から出力されているＧＰＳ信号Ｓｇ，Ｓｇ・・を受信して受信結果（処理結果）を制御部１６に出力する。また、制御部１６は、ＧＰＳ処理部１２から出力された受信結果と、記憶部１４に記憶されているアシストデータＤａおよび位置データＤｐ１とに基づいて携帯電話１の現在位置を測位する。次いで、制御部１６は、特定した現在位置についての地図データを記憶部１４から読み出すと共に、読み出した地図データに基づく地図上に現在位置を示すマークを描いた地図（図示せず）を表示部１５に表示させる。これにより、携帯電話１のユーザーに対して現在位置を認識させることができる。
【００３５】
一方、この測位システム１０では、アクセスポイント２にいずれかの携帯電話１やパーソナルコンピュータが接続したときに、情報センター設備４から携帯電話１やパーソナルコンピュータの現在位置に関連付けられている広告データＤｉが出力されて携帯電話１やパーソナルコンピュータに表示される。具体的には、例えば、上記の携帯電話１がアクセスポイント２を介してネットワークＮに接続した際に、アクセスポイント２は、記憶部２４から読み出した位置データＤｐ０と、接続されている携帯電話１のアドレスデータ（一例として、グローバルＩＰアドレス）とを情報センター設備４に出力する。これに応じて、情報センター設備４では、制御装置４３が、出力された位置データＤｐ０に基づいてアクセスポイント２の現在位置を特定すると共に、記憶装置４２内を検索して現在位置に関連付けられている広告データＤｉが登録（記憶）されているかを判別する。この際に、関連付けられた広告データＤｉが存在するときには、制御装置４３は、記憶装置４２から広告データＤｉを読み出すと共に、通信モデム４１を制御して携帯電話１に広告データＤｉを出力する。
【００３６】
一方、携帯電話１は、ネットワークＮおよびアクセスポイント２を介して広告データＤｉを受信し、その際に、制御部１６が、受信した広告データＤｉに基づくメッセージ（一例として、「○○スーパー○○支店、本日特売セール開催中！」）を表示部１５に表示させる。この場合、情報センター設備４の記憶装置４２に記憶されている広告データＤｉは、前述したように、広告主によってアクセスポイント２，２・・が設置されている各地域に関連付けられて登録（記憶）されている。したがって、制御装置４３が、携帯電話１と接続されているアクセスポイント２の設置場所に関連付けられている広告データＤｉを特定して携帯電話１に出力することで、携帯電話１の表示部１５には、携帯電話１の現在位置に関連する広告が表示される。
【００３７】
このように、この測位システム１０におけるアクセスポイント２によれば、ラジオ放送局設備７から出力されたラジオ放送信号Ｓｒやテレビ放送局設備８から出力されたテレビ放送信号Ｓｔに基づいて現在位置を測位して位置データＤｐ０を生成すると共に、携帯電話１および情報センター設備４に位置データＤｐ０を出力することにより、接続可能範囲内の携帯電話１等に対して、実際の位置に近い位置情報（位置データＤｐ０）を提供することができる。この場合、アクセスポイント２に対する携帯電話１の接続可能範囲が極く狭い範囲（一例として、半径１００ｍ程度）のため、携帯電話３を介してＧＰＳ基地局に接続されている位置検出装置に位置情報を出力する従来の測位システムとは異なり、移動端末（携帯電話１等）の実際の位置に近い位置情報を提供することができる。したがって、携帯電話１が位置データＤｐ０に基づいて実際の位置に近い位置データＤｐ１を生成することができるため、その現在位置を正確に測位することができる。また、位置データＤｐ０を受信した情報センター設備４によって、携帯電話１の実際の位置に関連付けられている広告データＤｉ等を携帯電話１に配信することができる。
【００３８】
また、受信したラジオ放送信号Ｓｒまたはテレビ放送信号Ｓｔを出力しているラジオ放送局設備７またはテレビ放送局設備８（公共放送局設備）の位置を放送局特定用データＤｓおよび受信した放送信号Ｓｒ，Ｓｔに基づいて特定して、特定した位置に基づいて現在位置を測位して位置データＤｐ０を生成することにより、比較的安価な受信機を備えるだけでアクセスポイント２の現在位置を特定することができるため、アクセスポイント２の製造コストの高騰を回避しつつ、携帯電話１等に対して位置データＤｐ０を提供することができる。また、受信した両放送信号Ｓｒ，Ｓｔの周波数および受信した放送信号Ｓｒ，Ｓｔに基づいてラジオ放送局設備７やテレビ放送局設備８の位置を特定することにより、比較的簡易な構成でありながら、アクセスポイント２の現在位置を特定して位置データＤｐ０を生成することができる。
【００３９】
また、この測位システム１０によれば、携帯電話１がアクセスポイント２から出力された位置データＤｐ０に基づいて位置データＤｐ１を生成して現在位置を測位することにより、携帯電話を介してＧＰＳ基地局に接続されている位置検出装置に位置情報を出力する従来の測位システムとは異なり、携帯電話１が位置データＤｐ０に基づいて実際の位置に近い位置データＤｐ１を生成することができるため、その現在位置を正確に測位することができる。また、実際の位置に近い位置に関連付けられた各種情報を情報センター設備４から携帯電話１に提供することができる。
【００４０】
なお、本発明は、上記の構成に限定されない。例えば、上記のアクセスポイント２では、ラジオ放送局設備７やテレビ放送局設備８から出力された電波の周波数と放送局特定用データＤｓとに基づいて現在位置を特定しているが、本発明におけるインターネット接続装置の構成はこれに限定されず、複数のラジオ放送信号Ｓｒ，Ｓｒ・・やテレビ放送信号Ｓｔ，Ｓｔ・・を受信できるときには、例えば、ラジオ放送信号Ｓｒ，Ｓｒ・・のアクセスポイント２への到達時間を複数のラジオ放送局設備７，７・・について測定して、その測位結果に基づいて各ラジオ放送局設備７，７・・との距離をそれぞれ算出し、その算出結果に基づいて三角測位法等によってアクセスポイント２の現在位置を測位して位置データＤｐ０生成する構成を採用することができる。具体的には、一例として、毎正時に各放送局から出力される時報についての電波の到達時間に基づいて放送局とアクセスポイント２との距離を算出して三角測位法等によってアクセスポイント２の現在位置を演算することができる。この構成によれば、放送局から出力された電波の周波数に基づいて現在位置を特定する構成と比較して、アクセスポイント２の現在位置を一層正確に測位することができる。したがって、携帯電話１や情報センター設備４に対して、実際の位置に一層近い位置データＤｐ０を出力することができる。
【００４１】
また、アクセスポイント２では、ラジオ放送局設備７，７・・から出力されたラジオ放送信号Ｓｒ，Ｓｒ・・やテレビ放送局設備８，８・・から出力されたテレビ放送信号Ｓｔ，Ｓｔ・・に基づいて現在位置を測位しているが、本発明はこれに限定されず、例えば、図７に示すアクセスポイント２Ａのように、アクセスポイント２における受信部２３に代えて、携帯電話１におけるＧＰＳ処理部１２と同様のＧＰＳ処理部２６を配設して、このＧＰＳ処理部２６と制御部２５とがＧＰＳ衛星９から出力されているＧＰＳ信号Ｓｇに基づいてアクセスポイント２Ａの現在位置を測位する構成を採用することができる。この構成によれば、ラジオ放送信号Ｓｒやテレビ放送信号Ｓｔの受信が困難な山間部等にアクセスポイント２Ａが設置された場合であっても、その現在位置を測位して位置データＤｐ０を生成することができる。
【図面の簡単な説明】
【００４２】
【図１】現在位置測位システム１０の構成を示すブロック図である。
【図２】携帯電話１の構成を示すブロック図である。
【図３】無線ＬＡＮアクセスポイント２の構成を示すブロック図である。
【図４】管理センター設備３の構成を示すブロック図である。
【図５】情報センター設備４の構成を示すブロック図である。
【図６】ネットワークＮの構成を示すブロック図である。
【図７】無線ＬＡＮアクセスポイント２Ａの構成を示すブロック図である。
【符号の説明】
【００４３】
１  携帯電話、２，２Ａ  無線ＬＡＮアクセスポイント３  管理センター設備、４  情報センター設備、７  ラジオ放送局設備、８  テレビ放送局設備、９  ＧＰＳ衛星、１０  現在位置測位システム、１１，２１  無線通信部、１２，２６  ＧＰＳ処理部、１６，２５  制御部、２２，３１，４１  通信モデム、２３  受信部、２４  記憶部、３２，４２  記憶装置、３６，４３  制御装置、Ｄａ  アシストデータ、Ｄｐ０  アクセスポイント位置データ、Ｄｐ１  端末位置データ、Ｄｉ  広告データ、Ｄｓ  放送局特定用データ、Ｎ  ネットワーク、Ｓ  信号、Ｓｇ  ＧＰＳ信号、Ｓｒ  ラジオ放送信号、Ｓｔ  テレビ放送信号
【図１】
2005189154.tif 000003
【図２】
2005189154.tif 000004
【図３】
2005189154.tif 000005
【図４】
2005189154.tif 000006
【図５】
2005189154.tif 000007
【図６】
2005189154.tif 000008
【図７】
2005189154.tif 000009